(57)【要約】【課題】  高速回転するディスクの振動を確実に押さえること。【解決手段】  クランパ８が、筐体１の天板部１ｂに一定範囲内昇降可能に配置された中心部１３と、該中心部１３からターンテーブル３の上面とほぼ平行して外方に延びるステー１４と、該ステー１４のターンテーブ３側に折れ曲がる先端部１４ａに一体形成されてターンテーブル３の上面とほぼ平行する押さえ板１５とを有し、該クランパ８の中心Ｏから押さえ板１５の外周縁までの半径Ｒ１がディスクＤの半径Ｒ２よりも小さくてターンテーブル３の半径Ｒ３よりも大きく設定されており、ドライブシャーシ５を上動ｃさせてターンテーブル３によりディスクＤ及びクランパ８を持ち上げたときに、押さえ板１５でディスクＤの外周部を押さえるようにした。【選択図】        図１
2005085373.tif 000002
【特許請求の範囲】
【請求項１】
筐体に前後進可能に配置したトレイの下方にターンテーブル及び光ピ
ックアップを搭載したドライブシャーシが上下動可能に配置され、前記ターンテーブルと
ほぼ同一半径の磁石付きクランパが筐体の上部に架設した天板部に一定範囲内昇降可能に
配置されると共に、該クランパの上面に複数の空気流導入用羽根が突設されており、前進
状態のトレイ上にディスクを載置し、該トレイをローディング信号に基づいて筐体内まで
後進させ、ドライブシャーシを上動させてターンテーブルによりトレイ上のディスク及び
クランパを持ち上げ、ターンテーブルを駆動してディスク及びクランパを回転させ、前記
各羽根に導入した空気流でクランパをディスクに押し付け、回転するディスクの情報を光
ピックアップにより読み取るようにしたディスクプレーヤにおいて、前記羽根付きクラン
パに代えて、前記天板部に一定範囲内昇降可能に配置された中心部と、該中心部からター
ンテーブルの上面とほぼ平行して外方に放射状に延びる複数の板ばね製ステーと、該各ス
テーのターンテーブ側に折れ曲がる先端部に一体形成されてその各ステーどうしをつなぐ
ターンテーブルの上面とほぼ平行する環状押さえ板とを有するクランパが用いられ、該ク
ランパの中心から環状押さえ板の外周縁までの半径がディスクの半径と同一または若干小
さく設定され、前記環状押さえ板の外周縁に外方に向かって斜め上方に傾斜する空気受圧
板が一体延設され、押さえ板の下面に弾性シートが貼着されており、ドライブシャーシを
上動させてターンテーブルによりディスク及びクランパを持ち上げたときに、該クランパ
の押さえ板で弾性シートを介してディスクの外周部を押さえるようにしたことを特徴とす
るディスクプレーヤ。
【請求項２】
筐体に前後進可能に配置したトレイの下方にターンテーブル及び光ピ
ックアップを搭載したドライブシャーシが上下動可能に配置され、前記ターンテーブルと
ほぼ同一半径の磁石付きクランパが筐体の上部に架設した天板部に一定範囲内昇降可能に
配置されると共に、該クランパの上面に複数の空気流導入用羽根が突設されており、前進
状態のトレイ上にディスクを載置し、該トレイをローディング信号に基づいて筐体内まで
後進させ、ドライブシャーシを上動させてターンテーブルによりトレイ上のディスク及び
クランパを持ち上げ、ターンテーブルを駆動してディスク及びクランパを回転させ、前記
各羽根に導入した空気流でクランパをディスクに押し付け、回転するディスクの情報を光
ピックアップにより読み取るようにしたディスクプレーヤにおいて、前記羽根付きクラン
パに代えて、前記天板部に一定範囲内昇降可能に配置された中心部と、該中心部からター
ンテーブルの上面とほぼ平行して外方に放射状に延びる複数の板ばね製ステーと、該各ス
テーのターンテーブ側に折れ曲がる先端部に一体形成されてターンテーブルの上面とほぼ
平行する円弧状押さえ板とを有するクランパが用いられ、該クランパの中心から各押さえ
板の外周縁までの半径がディスクの半径と同一または若干小さく設定され、前記各押さえ
板の外周縁に外方に向かって斜め上方に傾斜する空気受圧板が一体延設され、各押さえ板
の下面に弾性シートが貼着されており、ドライブシャーシを上動させてターンテーブルに
よりディスク及びクランパを持ち上げたときに、該クランパの各押さえ板で弾性シートを
介してディスクの外周部を押さえるようにしたことを特徴とするディスクプレーヤ。
【請求項３】
筐体に前後進可能に配置したトレイの下方にターンテーブル及び光ピ
ックアップを搭載したドライブシャーシが上下動可能に配置され、前記ターンテーブルと
ほぼ同一半径の磁石付きクランパが筐体の上部に架設した天板部に一定範囲内昇降可能に
配置されると共に、該クランパの上面に複数の空気流導入用羽根が突設されており、前進
状態のトレイ上にディスクを載置し、該トレイをローディング信号に基づいて筐体内まで
後進させ、ドライブシャーシを上動させてターンテーブルによりトレイ上のディスク及び
クランパを持ち上げ、ターンテーブルを駆動してディスク及びクランパを回転させ、前記
各羽根に導入した空気流でクランパをディスクに押し付け、回転するディスクの情報を光
ピックアップにより読み取るようにしたディスクプレーヤにおいて、前記羽根付きクラン
パに代えて、前記天板部に一定範囲内昇降可能に配置された合成樹脂製中心部と、該中心
部に一体形成されてターンテーブルの上面とほぼ平行して外方に延びる円板状ステーと、
該円板状ステーのターンテーブ側に折れ曲がる先端部に一体形成されてターンテーブルの
上面とほぼ平行する環状押さえ板とを有するクランパが用いられ、該クランパの中心から
環状押さえ板の外周縁までの半径がディスクの半径とターンテーブルの半径とのほぼ中間
に設定され、押さえ板の下面に弾性シートが貼着されており、ドライブシャーシを上動さ
せてターンテーブルによりディスク及びクランパを持ち上げたときに、該クランパの押さ
え板で弾性シートを介してディスクの外周部を押さえるようにしたことを特徴とするディ
スクプレーヤ。
【請求項４】
筐体に前後進可能に配置したトレイの下方にターンテーブル及び光ピ
ックアップを搭載したドライブシャーシが上下動可能に配置され、筐体の上部に架設した
天板部に磁石付きクランパが一定範囲内昇降可能に配置されており、前進状態のトレイ上
にディスクを載置し、該トレイをローディング信号に基づいて筐体内まで後進させ、ドラ
イブシャーシを上動させてターンテーブルによりトレイ上のディスク及びクランパを持ち
上げ、該クランパでディスクを押さえ、回転するディスクの情報を光ピックアップにより
読み取るようにしたディスクプレーヤにおいて、前記クランパが、前記天板部に一定範囲
内昇降可能に配置された中心部と、該中心部からターンテーブルの上面とほぼ平行して外
方に延びるステーと、該ステーのターンテーブ側に折れ曲がる先端部に一体形成されてタ
ーンテーブルの上面とほぼ平行する押さえ板とを有するクランパが用いられ、該クランパ
の中心から押さえ板の外周縁までの半径がディスクの半径よりも小さくてターンテーブル
の半径よりも大きく設定されており、ドライブシャーシを上動させてターンテーブルによ
りディスク及びクランパを持ち上げたときに、該クランパの押さえ板でディスクの外周部
を押さえるようにしたことを特徴とするディスクプレーヤ。
【請求項５】
前記ステーが、中心部からターンテーブルの上面とほぼ平行して外方
に放射状に延びる複数の板ばねからなり、該各板ばね製ステーの先端部にその各ステーど
うしをつなぐ環状押さえ板が一体形成されていることを特徴とする請求項４に記載のディ
スクプレーヤ。
【請求項６】
前記ステーが、中心部からターンテーブルの上面とほぼ平行して外方
に放射状に延びる複数の板ばねからなり、該各板ばね製ステーの先端部に円弧状押さえ板
が一体形成されていることを特徴とする請求項４に記載のディスクプレーヤ。
【請求項７】
前記押さえ板の外周縁に外方に向かって斜め上方に傾斜する空気受圧
板が一体延設されていることを特徴とする請求項５または６に記載のディスクプレーヤ。
【請求項８】
前記ステーが、合成樹脂製中心部に一体形成されてターンテーブルの
上面とほぼ平行して外方に延びる円板からなり、該円板状ステーの先端部に環状押さえ板
が一体形成されていることを特徴とする請求項４に記載のディスクプレーヤ。
【請求項９】
前記押さえ板の下面に弾性シートが貼着されていることを特徴とする
請求項４から８のいずれかに記載のディスクプレーヤ。
【発明の詳細な説明】
【技術分野】
【０００１】
本発明は、ＣＤやＤＶＤなどの光ディスクや光磁気ディスク（以下、ディスクと略称す
る）の再生や記録または消去を行うためのディスクプレーヤに関する。
【背景技術】
【０００２】
従来、ディスクプレーヤの一例として図７に示すものがある。これは、筐体１に前後進
ａ，ｂ可能に配置したトレイ２の下方にターンテーブル３及び光ピックアップ４を搭載し
たドライブシャーシ５が配置され、該ドライブシャーシ５の両側面後部に突設した一対の
枢支軸５ａを筐体１の軸受１ａに嵌入させると共に、そのドライブシャーシ５の前面に突
設したカム軸５ｂをカム板６のカム孔６ａに嵌入させ、該カム板６を左右にスライドさせ
ることにより、ドライブシャーシ５が枢支軸５ａを中心に上下動ｃ，ｄ可能に形成され、
前記ターンテーブル３とほぼ同一半径の磁石７付きクランパ８が筐体１の上部に架設した
天板部１ｂに一定範囲内昇降可能に配置されている。なお、９はターンテーブル３を回転
駆動するためのスピンドルモータである。
【０００３】
操作手順を説明すると、図７（ｂ）に示すように、前進ａ状態のトレイ２上にディスク
Ｄを載置し、該トレイ２をローディング信号に基づいて筐体１内まで後進ｂさせ、カム板
６をスライドさせてドライブシャーシ５を上動ｃさせる。これにより、図７（ａ）に示す
ように、ターンテーブル３によりトレイ２上のディスクＤ及びクランパ８を持ち上げて、
該ターンテーブル３の突起部３ａをディスクＤの中心孔Ｄａに嵌入させ、磁石７の吸着力
によりクランパ８をディスクＤに押し付けた状態で、スピンドルモータ９によりターンテ
ーブル３を駆動してディスクＤ及びクランパ８を回転させ、その回転するディスクＤの情
報を光ピックアップ４により読み取る。
【０００４】
上記構成によれば、ターンテーブル３とほぼ同一半径のクランパ８によりディスクＤの
中心部をターンテーブル３に押し付けているだけであるから、記録／再生の高速化に伴う
ディスクＤの高速回転により空気がかき乱され、それにより生じた乱気流で回転するディ
スクＤが大きく振動させられることがあり、また、例えばディスクＤの中心孔Ｄａが位置
ずれしている場合などの製作誤差が生じているときにも、回転するディスクＤがバランス
を崩して大きく振動させられることがある。
【０００５】
上記のように回転するディスクＤの振動が大きくなると、該ディスクＤに記録されてい
る情報の再生や記録または消去を正確に行うことが困難となり、その振動が酷い場合には
ディスクＤ自体が損傷されるおそれがある。
【０００６】
上記問題点を解消する技術の一つとして特許文献１に記載したものがある。これは、図
７（ａ）に仮想線で示すように、クランパ８の上面に複数の空気流導入用羽根１１を突設
したものであり、ディスクＤの回転により各羽根１１に導入される空気流によりクランパ
８をディスクＤに押し付けて、該ディスクＤの振動を押さえるものである。
【特許文献１】特開平２０００−７６７５３号公報
【発明の開示】
【発明が解決しようとする課題】
【０００７】
上記構成では、羽根１１により導入した空気流でクランパ８をディスクＤに押し付ける
ようにしているが、その空気流による押付力が極めて弱く、しかも、クランパ８の半径が
ターンテーブル３の半径とほぼ同じ程度で、そのクランパ８によりディスクの中心部を押
さえているだけであるから、高速回転するディスクＤの振動を確実に押さえることが困難
である。
【０００８】
本発明は、上記問題点に鑑みて、高速回転するディスクの振動を確実に押さえることが
できるようにしたディスクプレーヤを提供することを目的としてしている。
【課題を解決するための手段】
【０００９】
上記目的を達成するため、請求項１に記載の発明は、筐体に前後進可能に配置したトレ
イの下方にターンテーブル及び光ピックアップを搭載したドライブシャーシが上下動可能
に配置され、前記ターンテーブルとほぼ同一半径の磁石付きクランパが筐体の上部に架設
した天板部に一定範囲内昇降可能に配置されると共に、該クランパの上面に複数の空気流
導入用羽根が突設されており、前進状態のトレイ上にディスクを載置し、該トレイをロー
ディング信号に基づいて筐体内まで後進させ、ドライブシャーシを上動させてターンテー
ブルによりトレイ上のディスク及びクランパを持ち上げ、ターンテーブルを駆動してディ
スク及びクランパを回転させ、前記各羽根に導入した空気流でクランパをディスクに押し
付け、回転するディスクの情報を光ピックアップにより読み取るようにしたディスクプレ
ーヤにおいて、前記羽根付きクランパに代えて、前記天板部に一定範囲内昇降可能に配置
された中心部と、該中心部からターンテーブルの上面とほぼ平行して外方に放射状に延び
る複数の板ばね製ステーと、該各ステーのターンテーブ側に折れ曲がる先端部に一体形成
されてその各ステーどうしをつなぐターンテーブルの上面とほぼ平行する環状押さえ板と
を有するクランパが用いられ、該クランパの中心から環状押さえ板の外周縁までの半径が
ディスクの半径と同一または若干小さく設定され、前記環状押さえ板の外周縁に外方に向
かって斜め上方に傾斜する空気受圧板が一体延設され、押さえ板の下面に弾性シートが貼
着されており、ドライブシャーシを上動させてターンテーブルによりディスク及びクラン
パを持ち上げたときに、該クランパの押さえ板で弾性シートを介してディスクの外周部を
押さえるようにしたことを特徴としている。
【００１０】
請求項２に記載の発明は、筐体に前後進可能に配置したトレイの下方にターンテーブル
及び光ピックアップを搭載したドライブシャーシが上下動可能に配置され、前記ターンテ
ーブルとほぼ同一半径の磁石付きクランパが筐体の上部に架設した天板部に一定範囲内昇
降可能に配置されると共に、該クランパの上面に複数の空気流導入用羽根が突設されてお
り、前進状態のトレイ上にディスクを載置し、該トレイをローディング信号に基づいて筐
体内まで後進させ、ドライブシャーシを上動させてターンテーブルによりトレイ上のディ
スク及びクランパを持ち上げ、ターンテーブルを駆動してディスク及びクランパを回転さ
せ、前記各羽根に導入した空気流でクランパをディスクに押し付け、回転するディスクの
情報を光ピックアップにより読み取るようにしたディスクプレーヤにおいて、前記羽根付
きクランパに代えて、前記天板部に一定範囲内昇降可能に配置された中心部と、該中心部
からターンテーブルの上面とほぼ平行して外方に放射状に延びる複数の板ばね製ステーと
、該各ステーのターンテーブ側に折れ曲がる先端部に一体形成されてターンテーブルの上
面とほぼ平行する円弧状押さえ板とを有するクランパが用いられ、該クランパの中心から
各押さえ板の外周縁までの半径がディスクの半径と同一または若干小さく設定され、前記
各押さえ板の外周縁に外方に向かって斜め上方に傾斜する空気受圧板が一体延設され、各
押さえ板の下面に弾性シートが貼着されており、ドライブシャーシを上動させてターンテ
ーブルによりディスク及びクランパを持ち上げたときに、該クランパの各押さえ板で弾性
シートを介してディスクの外周部を押さえるようにしたことを特徴としている。
【００１１】
請求項３記載の発明は、筐体に前後進可能に配置したトレイの下方にターンテーブル及
び光ピックアップを搭載したドライブシャーシが上下動可能に配置され、前記ターンテー
ブルとほぼ同一半径の磁石付きクランパが筐体の上部に架設した天板部に一定範囲内昇降
可能に配置されると共に、該クランパの上面に複数の空気流導入用羽根が突設されており
、前進状態のトレイ上にディスクを載置し、該トレイをローディング信号に基づいて筐体
内まで後進させ、ドライブシャーシを上動させてターンテーブルによりトレイ上のディス
ク及びクランパを持ち上げ、ターンテーブルを駆動してディスク及びクランパを回転させ
、前記各羽根に導入した空気流でクランパをディスクに押し付け、回転するディスクの情
報を光ピックアップにより読み取るようにしたディスクプレーヤにおいて、前記羽根付き
クランパに代えて、前記天板部に一定範囲内昇降可能に配置された合成樹脂製中心部と、
該中心部に一体形成されてターンテーブルの上面とほぼ平行して外方に延びる円板状ステ
ーと、該円板状ステーのターンテーブ側に折れ曲がる先端部に一体形成されてターンテー
ブルの上面とほぼ平行する環状押さえ板とを有するクランパが用いられ、該クランパの中
心から環状押さえ板の外周縁までの半径がディスクの半径とターンテーブルの半径とのほ
ぼ中間に設定され、押さえ板の下面に弾性シートが貼着されており、ドライブシャーシを
上動させてターンテーブルによりディスク及びクランパを持ち上げたときに、該クランパ
の押さえ板で弾性シートを介してディスクの外周部を押さえるようにしたことを特徴とし
ている。
【００１２】
請求項４に記載の発明は、筐体に前後進可能に配置したトレイの下方にターンテーブル
及び光ピックアップを搭載したドライブシャーシが上下動可能に配置され、筐体の上部に
架設した天板部に磁石付きクランパが一定範囲内昇降可能に配置されており、前進状態の
トレイ上にディスクを載置し、該トレイをローディング信号に基づいて筐体内まで後進さ
せ、ドライブシャーシを上動させてターンテーブルによりトレイ上のディスク及びクラン
パを持ち上げ、該クランパでディスクを押さえ、回転するディスクの情報を光ピックアッ
プにより読み取るようにしたディスクプレーヤにおいて、前記クランパが、前記天板部に
一定範囲内昇降可能に配置された中心部と、該中心部からターンテーブルの上面とほぼ平
行して外方に延びるステーと、該ステーのターンテーブ側に折れ曲がる先端部に一体形成
されてターンテーブルの上面とほぼ平行する押さえ板とを有するクランパが用いられ、該
クランパの中心から押さえ板の外周縁までの半径がディスクの半径よりも小さくてターン
テーブルの半径よりも大きく設定されており、ドライブシャーシを上動させてターンテー
ブルによりディスク及びクランパを持ち上げたときに、該クランパの押さえ板でディスク
の外周部を押さえるようにしたことを特徴としている。
【００１３】
請求項５に記載の発明は、請求項４に記載の発明において、前記ステーが、中心部から
ターンテーブルの上面とほぼ平行して外方に放射状に延びる複数の板ばねからなり、該各
板ばね製ステーの先端部にその各ステーどうしをつなぐ環状押さえ板が一体形成されてい
ることを特徴としている。
【００１４】
請求項６に記載の発明は、請求項４に記載の発明において、前記ステーが、中心部から
ターンテーブルの上面とほぼ平行して外方に放射状に延びる複数の板ばねからなり、該各
板ばね製ステーの先端部に円弧状押さえ板が一体形成されていることを特徴としている。
【００１５】
請求項７に記載の発明は、請求項５または６に記載の発明において、前記押さえ板の外
周縁に外方に向かって斜め上方に傾斜する空気受圧板が一体延設されていることを特徴と
している。
【００１６】
請求項８に記載の発明は、請求項４に記載の発明において、前記ステーが、合成樹脂製
中心部に一体形成されてターンテーブルの上面とほぼ平行して外方に延びる円板からなり
、該円板状ステーの先端部に環状押さえ板が一体形成されていることを特徴としている。
【００１７】
請求項９に記載の発明は、請求項４から８のいずれかに記載の発明において、前記押さ
え板の下面に弾性シートが貼着されていることを特徴としている。
【発明の効果】
【００１８】
請求項１に記載の発明は第１の実施の形態（図１から図３参照）及び第３の実施の形態
（図５参照）に対応するものであって、これによれば、クランパの中心から環状押さえ板
の外周縁までの半径がディスクの半径と同一または若干小さく設定されて、押さえ板によ
りディスクの外周部の全体を均等に押さえるようになっており、また、クランパの中心部
から外方に延びる複数のステーが板ばねにより弾性変形可能に形成されると共に、押さえ
板の下面に弾性シートが貼着されているから、ターンテーブルによりディスク及びクラン
パを持ち上げたときに、各ステーが適度に弾性変形して、押さえ板を弾性シートを介して
ディスクの外周部に確実に密着状態で押し付けることができる。更に、クランパを高速回
転させる際に、該クランパの中心部から押さえ板側に流れる空気流が該押さえ板に一体延
設した空気受圧板に当たって、その空気流による押圧力で押さえ板をディスクの外周部に
一層確実に押し付けることができる。従って、ディスクを高速回転させた際に発生した乱
気流で該ディスクが振動されたり、製作誤差によりディスクがバランスを崩して振動され
るのを確実に防止して、記録／再生の高速化に伴うディスクの高速回転に充分対応するこ
とができる。
【００１９】
請求項２に記載の発明は第２の実施の形態（図４参照）及び第３の実施の形態（図５参
照）に対応するものであって、これによれば、請求項１に記載の発明とほぼ同様に、ター
ンテーブルによりディスク及びクランパを持ち上げたときに、各ステーが適度に弾性変形
して各円弧状押さえ板によりディスクの外周部を確実に押さえることができる。
【００２０】
請求項３に記載の発明は第４の実施の形態（図６参照）に対応するものであって、これ
によれば、請求項１に記載の発明とほぼ同様の効果を得ることができ、特に、ステーが円
板状に形成されているので、該クランパを高速回転させたときに空気をほとんど切ること
が無く、風切り音を極めて小さくすることができる。また、クランパを形成する中心部、
ステー及び押さえ板を合成樹脂で一体成形しているので、大幅なコストダウンを図ること
ができる。
【００２１】
請求項４に記載の発明によれば、ターンテーブルよりも半径を大きくしたクランパの押
さえ板でディスクの外周部を押さえるので、ディスクを高速回転させた際に発生する乱気
流で該ディスクが振動されたり、製作誤差によりディスクがバランスを崩して振動される
のを確実に防止して、記録／再生の高速化に伴うディスクの高速回転に充分対応すること
ができる。
【００２２】
請求項５に記載の発明によれば、ターンテーブルによりディスク及びクランパを持ち上
げたときに、各ステーが適度に弾性変形してその各ステーの先端部に一体形成した環状押
さえ板によりディスクの外周部の全体をほぼ均等に押さえることができる。
【００２３】
請求項６に記載の発明によれば、請求項５に記載の発明とほぼ同様に、ターンテーブル
によりディスク及びクランパを持ち上げたときに、各ステーが適度に弾性変形して各円弧
状押さえ板によりディスクの外周部を確実に押さえることができる
【００２４】
請求項７に記載の発明によれば、ディスク及びクランパを高速回転させる際に、該クラ
ンパの中心部から押さえ板側に流れる空気流が該押さえ板に一体延設した空気受圧板に当
たって、その空気流による押圧力で押さえ板をディスクに一層確実に押し付けることがで
きる。
【００２５】
請求項８に記載の発明によれば、ステーが円板状に形成されているので、該クランパを
高速回転させたときに空気をほとんど切ることが無く、風切り音を極めて小さくすること
ができる。また、クランパを形成する中心部、ステー及び押さえ板を合成樹脂で一体成形
しているので、大幅なコストダウンを図ることができる。
【００２６】
請求項９に記載の発明によれば、押さえ板の下面に弾性シートが貼着されているので、
ターンテーブルによりディスク及びクランパを持ち上げたときに、押さえ板を弾性シート
を介してディスクに確実に密着させることができる。
【発明を実施するための最良の形態】
【００２７】
図１から図３は本発明の第１の実施の形態であるディスクプレーヤを示すものであって
、クランパ８が、天板部１ｂに一定範囲内昇降可能に配置された磁石７付き中心部１３と
、該中心部１３からターンテーブル３の上面とほぼ平行して外方に延びる複数（この実施
の形態では３つ）のステー１４と、該各ステー１４のターンテーブル３側に折れ曲がる先
端部１４ａに一体形成されてターンテーブル３の上面とほぼ平行する押さえ板１５とを有
し、該クランパ８の中心Ｏから押さえ板１５の外周縁までの半径Ｒ１がディスクＤの半径
Ｒ２よりも小さくてターンテーブル３の半径Ｒ３よりも大きく設定され、この実施の形態
では、半径Ｒ１を半径Ｒ２とほぼ同一に設定している。上記以外の構成は図７に示す従来
例とほぼ同じ構成であるので、同一部分に同一符号を付してその説明を省略する。
【００２８】
操作手順を説明すると、図１（ｂ）に示すように、前進ａ状態のトレイ２上にディスク
Ｄを載置し、該トレイ２をローディング信号に基づいて筐体１内まで後進ｂさせ、ドライ
ブシャーシ５を上動ｃさせる。これにより、図１（ａ）に示すように、ターンテーブル３
によりトレイ２上のディスクＤ及びクランパ８を持ち上げて、該ターンテーブル３の突起
部３ａをディスクＤの中心孔Ｄａに嵌入させ、磁石７の吸着力により中心部１３をディス
クＤに押し付ける。以後の操作は従来とほぼ同じであるから、その説明を省略する。
【００２９】
前記中心部１３は、合成樹脂により成形され、図１に示すように、ターンテーブル３と
ほぼ同一半径Ｒ３に設定され、内部に磁石７が収納されている。前記各ステー１４は、板
ばねにより形成され、図２に示すように、その基端突起部１４ｂを中心部１３の側壁に貫
設した貫通孔１６に嵌入させることにより、中心部１３に放射状に取り付けられており、
ターンテーブル３によりディスクＤ及びクランパ８を持ち上げたときに、各ステー１４が
適度に弾性変形してその各ステー１４の先端部１４ａに一体形成した押さえ板１５をディ
スクＤに確実に押し付けることができる。
【００３０】
前記押さえ板１５は、図２及び図３に示すように、各ステー１４どうしをつなぐように
環状に形成され、その下面にゴムやスポンジまたはフェルトなどからなる弾性シート１７
が貼着されており、ターンテーブル３によりディスクＤ及びクランパ８を持ち上げたとき
に、押さえ板１５が弾性シート１７を介してディスクＤに密着される。
【００３１】
上記構成によれば、半径Ｒ１を大きくしたクランパ８の環状押さえ板１５でディスクＤ
の外周部を押さえるので、ディスクＤを高速回転させた際に発生する乱気流で該ディスク
Ｄが振動されたり、製作誤差によりディスクＤがバランスを崩して振動されるのを確実に
防止することができ、これによって、記録／再生の高速化に伴うディスクＤの高速回転に
充分対応することができる。
【００３２】
図４は本発明の第２の実施の形態であるディスクプレーヤの要部を示すものであって、
クランパ８の各板ばね製ステー１４の先端部１４ａに円弧状押さえ板１５が略Ｔ字状に一
体形成されており、そのクランパ８の中心Ｏから押さえ板１５の外周縁までの半径Ｒ１を
ディスクＤの半径Ｒ２と同一または若干小さく設定している。上記以外の構成は第１の実
施の形態とほぼおなじであるから、その説明を省略する。
【００３３】
上記構成によれば、第１の実施の形態とほぼ同様に、ターンテーブル３によりディスク
Ｄ及びクランパ８を持ち上げたときに、各ステー１４が適度に弾性変形して各円弧状押さ
え板１５によりディスクＤの外周部を確実に押さえることができる。
【００３４】
上述した第１及び第２の実施の形態において、図１（ａ）のＢに示すように、押さえ板
１５の外周縁に外方に向かって斜め上方に所定角度α（例えば３０°）で傾斜する空気受
圧板１８を一体延設することが好ましい（第３の実施の形態）。
【００３５】
上記構成によれば、図５に示すように、ディスクＤ及びクランパ８を高速回転させる際
に、該クランパ８の中心部１３から押さえ板１５側に流れる空気流Ｃが空気受圧板１８に
当たって、その空気流Ｃによる押圧力Ｆの垂直分力Ｆ１と水平分力Ｆ２とのうち、その垂
直分力Ｆ１により押さえ板１５をディスクＤに一層確実に押し付けることができる。
【００３６】
図６は本発明の第４の実施の形態であるディスクプレーヤの要部を示すものであって、
クランパ８のステー１４が、合成樹脂製円板からなり、合成樹脂製中心部１３に一体形成
されてターンテーブル３の上面とほぼ平行して外方に延ばされ、その円板状ステー１４の
先端部１４ａに環状押さえ板１５が一体形成されている。上記以外の構成は第１の実施の
形態とほぼ同じであるから、その説明を省略する。
【００３７】
上記構成によれば、第１の実施の形態とほぼ同じ効果を得ることができ、特に、ステー
１４が円板状に形成されているので、クランパ８を高速回転させたときに空気をほとんど
切ることが無く、風切り音を極めて小さくすることができる。また、クランパ８を形成す
る中心部１３、ステー１４及び押さえ板１５を合成樹脂で一体成形しているので、大幅な
コストダウンを図ることができる。
【００３８】
第１、第２の実施の形態では、クランパ８の中心Ｏから押さえ板１５の外周縁までの半
径Ｒ１をディスクＤの半径Ｒ２と同一または若干小さく設定したが、これに限定されるわ
けではなく、図６（ａ）の第４の実施の形態に示すように、クランパ８の中心Ｏから押さ
え板１５の外周縁までの半径Ｒ１をディスクＤの半径Ｒ２とターンテーブル３の半径Ｒ３
とのほぼ中間に設定してもよい。要するに、クランパ８の中心Ｏから押さえ板１５の外周
縁までの半径Ｒ１をディスクＤの半径Ｒ２よりも小さくてターンテーブル３の半径Ｒ３よ
りも大きく設定して、押さえ板１５によりディスクＤの外周部を押さえるようにすればよ
い。
【図面の簡単な説明】
【００３９】
【図１】（ａ）は本発明の第１の実施の形態であるディスクプレーヤのローディング状態の縦断面図、（ｂ）は同アンローディング状態の縦断面図である。
【図２】図１のＡ−Ａ矢視図である。
【図３】同要部の斜視図である。
【図４】本発明の第２の実施の形態であるディスクプレーヤの要部の斜視図である。
【図５】本発明の第３の実施の形態であるディスクプレーヤの要部であって図１のＢ部分の拡大縦断面図である。
【図６】（ａ）は本発明の第４の実施の形態であるディスクプレーヤの要部を示す縦断面図、（ｂ）は同要部の斜視図である。
【図７】（ａ）は従来例のローディング状態の縦断面図、（ｂ）は同アンローディング状態の縦断面図である。
【符号の説明】
【００４０】
１        筐体
２        トレイ
３        ターンテーブル
４        光ピックアップ
５        ドライブシャーシ
８        クランパ
１１      空気流導入用羽根
１３      中心部
１４      ステー
１４ａ    ステーの先端部
１５      押さえ板
１７      弾性シート
１８      空気受圧板
Ｄ        ディスク
Ｒ１      クランパの中心から押さえ板の外周縁までの半径
Ｒ２      ディスクの半径
Ｒ３      ターンテーブルの半径
Ｏ        クランパの中心
【図１】
2005085373.tif 000003
【図２】
2005085373.tif 000004
【図３】
2005085373.tif 000005
【図４】
2005085373.tif 000006
【図５】
2005085373.tif 000007
【図６】
2005085373.tif 000008
【図７】
2005085373.tif 000009